(57)【要約】【課題】  商品性を向上させることが可能な計器表示装置を提供する。【解決手段】  平板状導光体７の前面に所定領域Ｒを取り巻く導光部材８を積層し、この導光部材８の平板状導光体７と対向する側に計器意匠の少なくとも一部を形成する第２の指標部（意匠部）４を設けたことにより、従来のごとく平板への印刷により意匠部を形成した場合と比較して、導光部材８を介して第２の指標部４が浮き上がって見えるので、第２の指標部４の見え方に立体感、奥行き感を与え、高級感をかもし出すことができ、商品性を向上させることができる。【選択図】  図２
2005283346.tif 000002
【特許請求の範囲】
【請求項１】
平板状導光体上に所定の計器意匠を表示する計器表示装置において、前記平板状導光体の前面に前記計器意匠の所定領域を取り巻く導光部材を積層し、この導光部材の前記平板状導光体と対向する側に前記計器意匠の少なくとも一部を形成する意匠部を設けたことを特徴とする計器表示装置。
【請求項２】
前記導光部材が外側から内側にかけて厚さが薄くなる断面形状を有することを特徴とする請求項１記載の計器表示装置。
【請求項３】
前記導光部材の外周に遮光部を設けたことを特徴とする請求項１記載の計器表示装置。
【請求項４】
前記遮光部が前記導光部材の一部として一体成形されていることを特徴とする請求項３記載の計器表示装置。
【請求項５】
前記遮光部が前記導光部材に被着した遮光膜でなることを特徴とする請求項３記載の計器表示装置。
【発明の詳細な説明】
【技術分野】
【０００１】
本発明は、例えば自動車に搭載される計器表示装置に関し、特に、意匠の見せ方を工夫することにより、商品性を向上させた計器表示装置に関するものである。
【背景技術】
【０００２】
透明な平板状導光体上に所定の計器意匠を表示する計器表示装置の一例として、下記特許文献１記載のものが知られている。当該計器表示装置は、指針と、この指針の背後に配置された平板状導光体とを備えており、平板状導光体には、指針の指示対象とな目盛や数字等の意匠部が印刷されている。
【特許文献１】特開平８−１８９８４４号公報（図１）
【発明の開示】
【発明が解決しようとする課題】
【０００３】
当該計器表示装置によれば、透明な平板状導光体に意匠部を設けることにより、意匠部が浮遊しているような視覚表現を観察者に提供することができる。しかしながら、平板状導光体に意匠部を印刷するに過ぎないため、見栄えが平面的となり、立体感や奥行き感に乏しいという点で改良の余地が残されていた。
【０００４】
そこで、本発明は、この点に鑑みてなされたもので、その主な目的は、立体感のある高級感をかもし出すことができ、商品性を向上させることが可能な計器表示装置を提供するものである。
【課題を解決するための手段】
【０００５】
本発明は前記目的を達成するため、平板状導光体上に所定の計器意匠を表示する計器表示装置において、前記平板状導光体の前面に前記計器意匠の所定領域を取り巻く導光部材を積層し、この導光部材の前記平板状導光体と対向する側に前記計器意匠の少なくとも一部を形成する意匠部を設けたことを特徴とする。
【０００６】
また本発明は前記導光部材が外側から内側にかけて厚さが薄くなる断面形状を有することを特徴とする。
【０００７】
また本発明は前記導光部材の外周に遮光部を有することを特徴とする。
【０００８】
また本発明は前記遮光部が前記導光部材の一部として一体成形されていることを特徴とする。
【０００９】
また本発明は、前記遮光部が前記導光部材に被着した遮光膜でなることを特徴とする。
【発明の効果】
【００１０】
本発明によれば、初期の目的を達成することができ、立体感のある高級感をかもし出すことができ、商品性を向上させることが可能な計器表示装置を提供することができる。
【発明を実施するための最良の形態】
【００１１】
図１から図４は本発明による計器表示装置を車両用の計器装置に適用した一実施形態を示すもので、図１は計器表示装置の正面図、図２は図１中、Ａ−Ａ線に沿った断面図、図３は導光部材の断面図、図４は平板状導光体上に導光部材を積層した斜視図である。
【００１２】
本実施形態の計器表示装置１は、車両に搭載したエンジンの回転数を表すエンジン回転計を構成しており、図１に示すように、指針２と、この指針２の指示対象である第１の指標部３及び第２の指標部（意匠部）４と、表示器５とを備えている。なお、６は所要部を隠蔽する見返しであり、指針２と第１，第２の指標部３，４とでなる指針式の計器意匠と、表示器５とを露出する開口６ａを備えている。なお本実施形態では、エンジン回転計のみを示すが、エンジン回転計の他に、速度計、燃料計、水温計、電圧計を組み込んでコンビネーメータとして構成してもよい。
【００１３】
指針２は後述する指針用光源によって発光するものであり、後述する指針駆動装置によって、文字板３上を回転する。
【００１４】
第１の指標部３は、指針２の移動経路に沿って円弧状に配列された数字からなり、本実施形態では、例えば白色の印刷層として平板状導光体７の背面に形成されている（図２参照）。
【００１５】
第２の指標部４は、第１の指標部３と同様、指針２の移動経路に沿って第１の指標部３の外側に配列される目盛からなり、本実施形態では、図３に示すように、後述する印刷抜き部として導光部材８の背面に形成されている。
【００１６】
平板状導光体７の背後には、図２に示すように、これを離間して背景板９が配置され、この背景板９の前面（平板状導光体７との対向面）には、第１の指標部３の背景となる背景部（図示しない）が形成されている。
【００１７】
背景部としては、例えば色濃度や色自体が特定方向に変化するグラデーション模様が適用でき、その形成手段も印刷、塗装、転写、貼り付け等、任意の手段を選択することができる。
【００１８】
この背景板９、平板状導光体７、導光部材８は、背景板９の背後に位置するフレーム１０を通じて結合され、回路基板１１上に搭載されている。
【００１９】
１２は平板状導光体７に光を供給する光源で、本実施形態では、発光ダイオードが採用され、平板状導光体７の板面方向に対して垂直方向に離れた位置に設けられている。また、１３ａ、１３ｂは、背景板９を固定する保持部材であり、それぞれ、背景板９の内側と外側を保持するものである。また、１４は、光源１２の光を平板状導光体７に導く導光体であり、光源１２と平板状導光体７との間に設けられている。１５は、光源１３の光が直接運転者に視認されないように設けた遮蔽部材であり、指針２の回転中心部周囲に位置して平板状導光体７の前面に配置されている。
【００２０】
回路基板１２には、表示器５と、指針軸１６ａにて指針２を駆動する指針駆動装置１６が取り付けられている。表示器５は、例えば液晶表示素子からなる表示素子１７と、この表示素子１７を保持するホルダ１８と、表示素子１７を背後から照明する例えば発光ダイオードからなる光源１９とを備えている。なお、２０は、表示素子１７と回路基板１１とを接続するフレキシブル配線板である。また、２１は、表示素子１７の必要部分以外を覆い隠す枠体で、窓部２２から表示素子１７が露出するものであり、前述した保持部材１３ａ、１３ｂと一体に形成されている。また２３は指針２を照明する例えば発光ダイオードからなる光源である。
【００２１】
平板状導光体７は、図４に示すように、略円板形または略扇形で、実質的に無色透明で透光性の良好な合成樹脂からなり、指針２側に反射面７ａを備えている。この反射面７ａは、平板状導光体７の板面方向に対して垂直方向から来る光を主として板面方向に変えるものである。また、平板状導光体７の背面には、第１の指標部３（図４では四角状の囲み点線にて簡略化して示す）が形成されている他、図２に示すように、導光部材８に対応する部分に第１の反射層７ｂが、指針２側で遮蔽部材１５に対応する部分に第２の反射層７ｃがそれぞれ形成され、これら第１，第２の反射層７ｂ，７ｃは、第１の指標部３と同じ白色の印刷層でなり、一回の印刷工程にて形成されている。なお７ｄは指針駆動装置１６の指針軸１６ａを通すための貫通孔である。
【００２２】
導光部材８は、本実施形態では指針２と第１，第２の指標部３，４とで構成され、指針２の回転中心を基準に広がる計器意匠のうち、指針２と第１の指標部３とを含む所定領域Ｒを取り巻く平面視円弧状（リング状）の平面形状を有し、平板状導光体７と同様、実質的に無色透明で透光性の良好な合成樹脂からなり、平板状導光体７の前方であって端部側に積層配置されると共に、図１，２に示すように、見返し６の開口６ａからその前面側が露出するように組付けられている。
【００２３】
この導光部材８の断面形状は、図３に詳しく示す通りであり、外側（指針２の回転中心に遠い側）から内側（指針２の回転中心に近い側）にかけて徐々に厚さが薄くなる断面三角形状部分を有し、この断面三角形状部分の底面（平板状導光体７と対向する側）８ａは平板状導光体７と平行、側面８ｂは平板状導光体７と略鉛直、前面８ｃは指針２の回転中心に向けて傾斜している。
【００２４】
そして底面８ａには、遮光層８１と反射層８２が例えば印刷により形成されている。本実施形態では遮光層８１は光を遮断する黒色、反射層８２は光を反射する白色であるが、これら遮光層８１と反射層８２は、目盛である第２の指標部４を構成する部分を抜き印刷することで、透光性の良好な第２の指標部４を形成している。なおこれら遮光層８１と反射層８２は、後述する遮光部８３の底面にも連続形成されている。
【００２５】
また導光部材８の外周部（側面８ｂ）であって、その全周囲に遮光性を有する遮光部８３が形成されている。この遮光部８３は、例えば黒色の合成樹脂（部材）からなり、外光や照明光の透過を遮断または規制し、導光部材８を例えば斜めから見たときに、導光部材８を通して内部が透けて見えたり、内部の照明光が観察者側に向かうのを防止するもので、本実施形態の場合は、導光部材８の一部として一体成形されている。すなわち、本実施形態による導光部材８は、透明な合成樹脂（部材）を用いて断面三角形状部分（導光部材本体）を射出成形した後に、遮光性を有する合成樹脂（部材）を用いて遮光部８３を射出成形するか、またはその逆の順序で各部を射出成形して一体部品としたものである。なお遮光部８３は、光の透過を遮断または規制することができれば、半透過性を有する部材にて形成することもできる。また遮光部８３の底面は、遮光層８１と反射層８２の被着を考慮して断面三角形状部分の底面８ａと段差なく連続するように構成されている。
【００２６】
フレーム１０は、白色の合成樹脂からなり、光源１２と光源２３との光が混ざらないように、遮光壁部１０ａを備えている。この遮光壁部１０ａはほぼ円筒形である。
【００２７】
光源１２は、遮光壁部１０ａに沿って複数個設けられており、導光体１４は、光源１２に対応して、遮光壁部１０ａに沿って設けられている。
【００２８】
遮蔽部材１５は遮光性の合成樹脂からなり、その背後には、光源１２からの光を良好に反射するように、白色等の光反射色でなる反射面１５ａが形成されている。この反射部１５ａは光源１２からの光が、平板状導光体７の反射面７ａを透過した光などを反射し、もう一度平板状導光体７に光を戻すものである。
【００２９】
このように構成した本実施形態において、光源１２を点灯させると、光源１２から出た光は、導光体１４を通って、平板状導光体７の反射面７ａにて反射される。この時、導光体１４から漏れた光が、第２の反射層７ｃにて下方向に反射され、背景板１０の表面を間接照明することで観察者に背景として視認される。また平板状導光体７内を通過する光は第１の指標部３を照らし、この照明像が観察者に視認されると共に、第１の反射層７ｂにて導光部材８方向に反射されて第２の指標部４を透過照明し、この透過照明像が導光部材８を通して観察者に視認される。一方、光源１２の消灯時は、自然光やルームライト等の外光が平板状導光体７を通って背景板１０及び第１の指標部３に入射することで背景及び第１の指標部３が観察者に視認され、導光部材８を通って第２の指標部８に入射することで第２の指標部８が視認される。
【００３０】
以上のように、本実施形態によれば、平板状導光体７の前面に所定領域Ｒを取り巻く導光部材８を積層し、この導光部材８の平板状導光体７と対向する側に計器意匠の少なくとも一部を形成する第２の指標部（意匠部）４を設けたことにより、従来のごとく平板への印刷により意匠部を形成した場合と比較して、導光部材８を介して第２の指標部４が浮き上がって見えるので、第２の指標部４の見え方に立体感、奥行き感を与え、高級感をかもし出すことができ、商品性を向上させることができる。
【００３１】
特に本実施形態では、背景板１０と平板状導光体７との離間配置による浮遊感の演出効果と相まって、第２の指標部４の見え方に立体感、奥行き感を与えることができるので、より商品性を向上させることができる。
【００３２】
また本実施形態によれば、導光部材８の断面形状を外側から内側にかけて厚さが徐々に薄くなる形状としたことにより、部品どうしの積層により生じる段差や影等の発生を抑えることができ、部品積層による違和感や雑多感を解消し、美観を向上させることができる。なお導光部材８の断面形状は、断面三角形状が好適であるが、外側から内側にかけて厚さが薄くなる形状であれば、形状は任意である。なお本実施形態では導光部材８の平面形状をリング形としたが、所定領域Ｒを取り巻く形状であれば、任意の形状を選択することができる。
【００３３】
また本実施形態によれば、導光部材８の外周に遮光部８３を設けたことにより、導光部材８を通して内部が透けて見えたり、内部の照明光が観察者側に向かうのを防止することができる。なお遮光部８３は、必要な箇所だけに設けることもできる。
【００３４】
また本実施形態によれば、遮光部８３を導光部材８の一部として一体成形したことにより部品点数を削減することができる。
【００３５】
なお遮光部８３は、導光部材８の一部として一体成形する他、遮光膜として導光部材８に印刷、塗装、転写、貼着、接合することにより被着してもよく、また別の遮光材を導光部材に結合することで遮光部８３を形成してもよい。
【図面の簡単な説明】
【００３６】
【図１】本発明の一実施形態による計器表示装置の正面図。
【図２】図１中、Ａ−Ａ線に沿った断面図。
【図３】同上実施形態による導光部材の断面図。
【図４】同上実施形態において平板状導光体上に導光部材を積層した斜視図である。
【符号の説明】
【００３７】
１    計器表示装置
２    指針
３    第１の指標部
４    第２の指標部
５    表示器
６    見返し
６ａ  開口
７    平板状導光体
７ａ  反射面
７ｂ  第１の反射層
７ｃ  第２の反射層
７ｄ  貫通孔
８    導光部材
８ａ  底面
８ｂ  側面
８ｃ  前面
９    背景板
１０  フレーム
１０ａ  遮光壁部
１１  回路基板
１２，２３  光源
１３ａ，１３ｂ  保持部材
１４  導光体
１５  遮蔽部材
１５ａ  反射面
１６  指針駆動装置
１６ａ  指針軸
１７  表示素子
１８  ホルダ
１９  光源
２０  フレキシブル配線板
２１  枠体
２２  窓部
８１  遮光層
８２  反射層
Ｒ    所定領域
【図１】
2005283346.tif 000003
【図２】
2005283346.tif 000004
【図３】
2005283346.tif 000005
【図４】
2005283346.tif 000006